(57)【特許請求の範囲】
【請求項１】
開閉体カーテンの側方縁部を案内する中柱の下部に閉塞手段を設け、前記中柱が所定位置に位置決め設置されたときに、前記閉塞手段が中柱の底部と床面における中柱設置面との間に形成された隙間を閉塞する開閉体の中柱装置であって、中柱の下部背面又は正面に昇降自在に設けられ、前記設置面に位置する中柱を設置面上に位置決め固定する落し棒を有する開閉体の中柱装置において、
前記閉塞手段は、前記中柱の下部背面又は正面に上下方向に回動可能に設けられた可動片と、可動片を上昇位置に回動変位させる付勢手段とを有しており、前記落し棒が下降した際に、可動片が落し棒に押されて下降し、中柱の底部と中柱設置面との間に形成された隙間を閉塞することを特徴とする開閉体の中柱装置。
【請求項２】
前記閉塞手段は、前記中柱の下部背面又は正面に固定された固定片と、固定片の下縁に回動可能に蝶着された前記可動片と、可動片を上昇位置に回動変位させる前記付勢手段とを設けた蝶番体からなることを特徴とする請求項１に記載の開閉体の中柱装置。
【請求項３】
開閉体カーテンの側方縁部を案内する中柱の下部に閉塞手段を設け、前記中柱が所定位置に位置決め設置されたときに、前記閉塞手段が中柱の底部と床面における中柱設置面との間に形成された隙間を閉塞する開閉体の中柱装置において、
前記閉塞手段は、前記中柱の下面開口に昇降可能に遊嵌される有底箱枠形状の閉塞板と、該閉塞板を常時中柱内の上部側に上昇付勢する付勢手段を備え、開閉体カーテンの下降に伴い、閉塞板の底板に加わる開閉体カーテンの自重により付勢手段に抗して閉塞板の底板を押下げて、中柱の底部と前記設置面との間に形成された隙間を閉塞板が閉塞することを特徴とする開閉体の中柱装置。
【請求項４】
前記付勢手段として、前記中柱の下部内側と前記閉塞板との間に介在された吊下用ばね手段を用いたことを特徴とする請求項３に記載の開閉体の中柱装置。
【請求項５】
前記付勢手段として、前記中柱の下部内側と前記閉塞板間に設けられ、かつ互いに吸着側に付勢される磁着手段を用いたことを特徴とする請求項３に記載の開閉体の中柱装置。
【請求項６】
有底箱枠形状の前記閉塞板は、前記底板と箱枠形状の周壁とを有し、周壁の両側壁には、前記中柱の両側に形成され、開閉体カーテンの外側を案内するガイドレール部の開口幅と一致する開口部が形成されていることを特徴とする請求項３乃至５のいずれか１項に記載の開閉体の中柱装置。
【発明の詳細な説明】
【技術分野】
【０００１】
本発明は、間口幅の広い開口部を開閉するシャッターカーテンなどの開閉装置に用いる中柱装置に関し、特に中柱の下端とその設置面との間に形成される隙間を閉塞する手段を設けたものに関する。
【背景技術】
【０００２】
間口幅の広い開口部を開閉するためのシャッターカーテンなどの開閉装置として可動式中柱を備えたものが知られている（特許文献１，２参照）。
【０００３】
図７及び図８は、本発明が適応される中柱装置を有するシャッター装置としての開閉装置の一般的構造を示す図である。
図７は、このうち特許文献１に示された２連シャッター装置の全閉状態を示すものであり、開口上部には間口方向に沿ってシャッターケース１が横設され、シャッターケース１の両側下部には、シャッターカーテン４，４の両外側を案内する略コ形の一対の固定柱２が垂設固定されているとともに、中央部には可動式中柱３が垂設される。
図８に示すように、可動式中柱３の両側に形成された略コ形のガイドレール部３ａの開口に沿って両側のシャッターカーテン４の内側端を昇降ガイドしている。この中柱３はシャッターケース１内に横方向に沿って設けたガイド５に沿って移動可能に吊持され、シャッターカーテン４の全開時には破線で示すように一方の固定柱２の側面に保持され、シャッターカーテン４の閉鎖に先だって、開口中央部に移動して固定する。この固定位置において、中柱２の背面又は正面の下部に設けた落し棒６の下端を、床面ＦＬの設置面に凹設した位置決め穴に挿入して固定することにより、中柱３の上下を開口上下に位置決め固定した上で、両シャッターカーテン５の側端を下降ガイドする。
なお、図中符号７は落し棒６を上位置または下部位置にロックするための図示しないロック機構を内蔵した落し棒ガイドであり、落し棒６を引上げた状態では落し棒６は上位置に保持され、引下げると常時下降位置側に保持され、不時の外力による落し棒６の引上げおよび／または引下げを防止する。
【先行技術文献】
【特許文献】
【０００４】
【特許文献１】実開昭５７−５２９３号公報
【特許文献２】特開２００６−３２８８９５号公報
【発明の概要】
【発明が解決しようとする課題】
【０００５】
この構造において、中柱３の横移動の際に、床面の凹凸による引っかかりが発生しないように床面と中柱下端との間にある程度の隙間を確保しなければならず、この場合には中柱の高さ寸法をある程度短く設定すればよい。しかしながら、床面との隙間からの光漏れが生じたり、塵埃等が侵入する恐れがあり、床面との隙間が少なくとも１０mm以下でなくてはならない。
【０００６】
本発明は以上の課題を解決するものであり、その目的とするところは、床面に凹凸があったとしても、可動式中柱の下端と床面との隙間を確保することにより、中柱の移動を容易にするとともに、中柱の設置位置で中柱下端と床面との隙間を閉塞し、光漏れや塵埃等の侵入を防止できるようにした可動式中柱装置を提供するものである。
【課題を解決するための手段】
【０００７】
以下に上記の課題を解決するための手段を、図の実施の形態を参照して説明する。
【０００８】
本発明は、開閉体カーテン４の側方縁部を案内する中柱３の下部に閉塞手段を設け、前記中柱３が所定位置に位置決め設置されたときに、前記閉塞手段が中柱３の底部と床面における中柱設置面との間に形成された隙間を閉塞することを特徴とする開閉体の中柱装置にある。
【０００９】
上記本発明では、中柱３の横移動時にその下端が床面に引っかかることがないようにその高さ寸法の設定が出来るため、移動が容易であることに加え、設定位置に位置決め固定後は中柱３の下端と床面との隙間も閉塞されてしまうため、光漏れや塵埃等の侵入を防止できる。
【００１０】
請求項１の発明は、上記開閉体の中柱装置であって、中柱３の下部背面又は正面に昇降自在に設けられ、前記設置面に位置する中柱３を設置面上に位置決め固定する落し棒６を有する開閉体の中柱装置において、
前記閉塞手段は、前記中柱３の下部背面又は正面に上下方向に回動可能に設けられた可動片１２と、可動片１２を上昇位置に回動変位させる付勢手段とを有しており、前記落し棒６が下降した際に、可動片１２が落し棒６の下端に押されて下降し、中柱３の底部と中柱設置面との間に形成された隙間を閉塞することを特徴とする開閉体の中柱装置にある。
【００１１】
請求項２の発明は、前記閉塞手段は、前記中柱３の下部背面又は正面に固定された固定片１１と、固定片１１の下縁に回動可能に蝶着された前記可動片１２と、可動片１２を上昇位置に回動変位させる前記付勢手段とを設けた蝶番体１０からなることを特徴とする上記請求項２に記載の開閉体の中柱装置にある。
【００１２】
上記請求項１及び２記載の発明では、中柱３が設置面に位置した時に、落し棒６の下降操作に連繋して、落し棒６の下端に押されて可動片１２が下方に回動して隙間を塞ぐため、隙間が自動的に閉塞される。
また、既存の中柱３に、可動片１２又は蝶番体１０を後付により容易に取り付けることができる。
可動片１２又は蝶番体１０は、ボルトなどの固定手段４０により、中柱に対して着脱自在に固定させることができる。
【００１３】
請求項３に記載の発明では、中柱３の下部背面又は正面に昇降自在に設けられ、前記設置面に位置する中柱３を設置面上に位置決め固定する落し棒６を有する開閉体の中柱装置において、
前記閉塞手段は、前記中柱３の下面開口に昇降可能に遊嵌される箱枠形状の閉塞板２０を備え、該閉塞板２０は、前記落し棒６と連繋して昇降し、落し棒６の下降により中柱３の下端面と前記設置面との間に形成された隙間を閉塞板２０が閉塞することを特徴とする開閉体の中柱装置にある。
【００１４】
上記請求項３の発明では、中柱３が設置面に位置した時に、落し棒６の下降操作に連繋して閉塞板２０が下降し、隙間を塞ぐため、隙間が自動的に閉塞される。
また、閉塞板２０は箱枠形状であって、中柱３の投影面下面の前後隙間を閉塞するため、その閉塞面積が大きく、光漏れや塵埃等の侵入を有効に防止できる。
上記閉塞板２０は、中柱の内壁面に沿って遊嵌しても、中柱の外壁面に沿って遊嵌してもよい。
また、閉塞板２０は、枠形状であればよく、底板はなくてもよい。
【００１５】
請求項３に記載の発明では、
前記閉塞手段は、前記中柱３の下面開口に昇降可能に遊嵌される有底箱枠状の閉塞板２０と、該閉塞板２０を常時中柱３内の上部側に上昇付勢する付勢手段を備え、開閉体カーテン４の下降に伴い、閉塞板２０の底板に加わるカーテンの自重により付勢手段に抗して閉塞板の底板を押下げて、中柱３の底部と前記設置面との間に形成された隙間を閉塞板２０が閉塞することを特徴とする開閉体の中柱装置にある。
【００１６】
請求項４に記載の発明では、前記付勢手段として、前記中柱３の下部内側と前記閉塞板２０との間に介在された吊下用ばね手段３０を用いたことを特徴とする請求項３に記載の開閉体の中柱装置にある。
【００１７】
請求項５に記載の発明では、前記付勢手段として、前記中柱の下部内側と前記閉塞板間に設けられ、かつ互いに吸着側に付勢される磁着手段を用いたことを特徴とする請求項３に記載の開閉体の中柱装置にある。
有底箱枠形状の前記閉塞板は、前記底板と箱枠形状の周壁とを有し、周壁の両側壁には、前記中柱の両側に形成され、開閉体カーテンの外側を案内するガイドレール部の開口幅と一致する開口部が形成されていることを特徴とする。
【００１８】
上記請求項３乃至６の発明では、中柱３が設置面に位置し、開閉体カーテン４が閉鎖した時に、中柱３のガイドレール部３ａ内に位置するカーテンの側縁部下端に、閉塞板２０の底板が押されて閉塞板２０が下降し、隙間を塞ぐため、隙間が自動的に閉塞される。
また、閉塞板２０は箱枠形状であって、中柱３の投影面下面の前後隙間を閉塞するため、その閉塞面積が大きく、光漏れや塵埃等の侵入を有効に防止できる。
【００１９】
上記請求項３乃至６の発明において、閉塞板２０は落し棒６と連繋されていてもよい。  また、閉塞板２０と落し棒６とは、連繋関係になく、相互に無関係に昇降作動される構成であってもよい。
さらに、上記磁着手段と吊下用ばね手段３０との双方が設けられ、協同して閉塞板２０を上方向に保持させるようにしてもよい。
【発明の効果】
【００２０】
以上のように本発明では、中柱の移動時にその下端が床面に引っかかることがないようにその高さ寸法の設定が出来るため、移動が容易であることに加え、設定位置に位置決め固定後は中柱の下端と床面との隙間も閉塞されてしまうため、光漏れや塵埃等の侵入を防止できる。
【００２１】
請求項１及び２記載の発明では、中柱が設置面に位置した時に、落し棒の下降操作に連繋して、落し棒の下端に押されて可動片が下方に回動して隙間を塞ぐため、隙間が自動的に閉塞される。
また、既存の中柱に、可動片又は蝶番体を後付により容易に取り付けることができ、既存の構造を有効利用できる。
【００２２】
請求項３の発明では、中柱が設置面に位置した時に、落し棒の下降操作に連繋して閉塞板が下降し、隙間を塞ぐため、隙間が自動的に閉塞される。
また、閉塞板は箱枠形状であって、中柱の投影面下面の前後隙間を閉塞するため、その閉塞面積が大きく、光漏れや塵埃等の侵入を有効に防止できる。
【００２３】
請求項３乃至６の発明では、中柱が設置面に位置し、開閉体カーテンが閉鎖した時に、中柱のガイドレール部内に位置するカーテンの側縁部下端に、閉塞板の底板が押されて閉塞板が下降し、隙間を塞ぐため、隙間が自動的に確実に閉塞される。
また、閉塞板は箱枠形状であって、中柱の投影面下面の前後隙間を閉塞するため、その閉塞面積が大きく、光漏れや塵埃等の侵入を有効に防止できる。
【００２４】
請求項３乃至６発明では、落し棒に連繋させることなく、シャッターカーテンの下降動作に応じて自動的に隙間が閉塞されるため、構造がさらに簡単となる。
また、常時閉塞板を中柱の下部に格納しておき、開閉体カーテンの下降動作に応じて隙間を自動的に閉塞出来る。
【図面の簡単な説明】
【００２５】
【図１】本発明の第１実施形態による要部斜視図である。
【図２】（ａ），（ｂ）は同動作説明用要部側面図である。
【図３】本発明の第２実施形態による要部斜視図である。
【図４】（ａ），（ｂ）は同動作説明用要部側面図である。
【図５】本発明の第３実施形態による要部斜視図である。
【図６】（ａ），（ｂ）は同動作説明用要部側面図である。
【図７】本発明が適用される中柱装置を備えた開閉体の正面図である。
【図８】図７のＡ−Ａ線における拡大断面図である。
【発明を実施するための形態】
【００２６】
以下、本発明を適用した実施の形態例を図を参照して説明する。
（第１実施形態）
図１、２は本発明の第１実施形態を示す。
なお、本発明の中柱装置は図７，８に示す２連のシャッターカーテン式開閉装置に組込まれるものであるため、以後の説明からは重複する箇所には同一符号を付し、その説明を省略する。
【００２７】
図において、可動式中柱３の下部背面の壁面、すなわちシャッターカーテンとしての開閉体カーテン４によって区画される内側には、蝶番体１０がボルトやリベットなどによる固定手段４０により設けられている。
蝶番体１０は中柱３の下部背面に固定された固定片１１と、固定片１１の下縁に蝶着された可動片１２と、両片１１，１２を回動可能に連結したヒンジ軸１３の一端外周に介挿され、かつ可動片１２を常時上昇側に回動付勢するトーションばねよりなる回動付勢用ばね手段１４を備えている。
【００２８】
落し棒６は、上部Ｕ字形をなし、その上端を図２にも示すように、内側に折曲げた把手部６ａと、把手部６ａの下部に連続する鉛直な一対のロッド部６ｂを備え、前記昇降ガイド７を貫通し、引上げまたは引下げ動作に応じて昇降ガイド７内に内蔵された図示しない反転ばね機構などの保持機構に連繋して上昇または下降側の何れかに保持される。
【００２９】
図１および図２（ａ）において、中柱３は、開閉体カーテンによって仕切られる開口中央部上昇位置に吊持された状態である。落し棒６は、昇降ガイド７内の保持機構により、中柱３の下部背面に上昇保持されており、落し棒６の下端は蝶番体１０の水平方向にある可動片１２に付当てられ、可動片１２の上方側への回動を規制している。落し棒６の一対のロッド部６ｂは、可動片１２を通じて床面ＦＬに凹設された一対の位置決め穴１５に対向位置している。さらに昇降ガイドの下部側において、落し棒６のロッド部６ｂ間には可動片１２の押え板１６が配置され、前記中柱３が開口中央に位置決め配置された状態では、中柱３の下端と、床面ＦＬとの間には所定の隙間Ｄが空いている。
【００３０】
上記蝶番体１０は、上記隙間Ｄの閉塞手段を構成し、中柱３の下部背面（又は正面）に固定された固定片１１と、固定片１１の下縁に回動可能に蝶着された上記可動片１２と、可動片１２を上昇位置に回動変位させる付勢手段としての回動付勢用ばね手段１４とを有している。
【００３１】
この状態で図２（ｂ）に示すように、落し棒６の把手部６ａを手で握り、矢印に示す下方に押下げることにより、可動片１２は、水平位置から下降側に回動して、中柱３の下端と床面ＦＬとの間の隙間Ｄを閉塞する。そして昇降ガイド７内の保持機構により、落し棒６は下降位置に保持されるが、この付勢力は蝶番体１０側の回動付勢用ばね手段１４のばね圧より極めて大きいため、落し棒６が下降している間は閉塞状態に保たれ、結果的に隙間Ｄを大きくとって床面ＦＬに凹凸が生じていても、その許容分だけ中柱３の長さを短く設定でき、これにより中柱３の横移動を容易に行うことが出来ることになる。
【００３２】
（第２実施形態）
図３、図４は本発明の第２実施形態を示す。
図において中柱３の底面開口内の内壁には、内壁面に沿って、有底箱枠状の閉塞板２０が昇降可能に遊嵌されている。
閉塞板２０は、角枠形状の周壁２０ｂと底板２０ｃとを有し、閉塞板２０の両側壁には、前記ガイドレール部３ａの開口幅に一致する開口部２０ａが形成されている。この閉塞板２０の背面中央において、昇降ガイドの下部に突出する落し棒６の両ロッド部６ｂに両端が連結された支持杆２１の中央には、連結杆２２の一端が連結されている。この連結杆２２は、中柱３の下部背面中央に形成されたスリット３ｂを通じて他端側を閉塞板２０の背面に結合し、閉塞板２０を落し棒６の上下動作に伴って昇降可能にガイドしている。
中柱３の閉塞板２０が遊嵌される内壁面は、閉塞板２０が昇降可能に遊嵌される、角枠形状とされている。
【００３３】
従って本第２実施形態では、図３、図４（ａ）に示すように、落し棒６が上位置にある状態では中柱３と床面ＦＬとの間には隙間Ｄが生じている。この状態から図４（ｂ）示すように落し棒６を押下げると、落し棒６に連繋して閉塞板２０が床面ＦＬに着地して中柱３の下端面と床面ＦＬ間の隙間Ｄを閉塞する。
【００３４】
本実施形態では、第１実施形態の効果に加え、閉塞板２０が中柱３の下部開口の投影面に応じた着地面積となり、より広い閉塞面積を得られる。
【００３５】
（第３実施形態）
図５、図６は本発明の第３実施形態を示す。
図において中柱３の下部内側と閉塞板２０の上端と間には複数の付勢手段としての引張りばねからなる吊下げ用ばね手段３０が介在され、常時閉塞板２０を上方に吊上げ保持している。また、閉塞板２０の背面中央において、昇降ガイド７の下部に突出する両ロッド部６ｂに両端連結された支持杆２１の中央には、連結杆３１の一端が連結している。この連結杆３１はＬ字形をなし、Ｌ持側端部をスリット３ｂを通じて閉塞板２０の背面上縁に連結しし、吊下げ用ばね手段３０の付勢圧に抗して閉塞板２０を中柱３の下縁開口面に保持している。
【００３６】
従って本第３実施形態では、図５に想像線で示すごとく、開閉体カーテン４の閉止時における下降着底に伴い、中柱３のガイドレール部３ａ内に位置する開閉体カーテン４の側縁部が閉塞板２０の底板２０ｃを押し下げることで、吊下げ用ばね手段３０による吊上げ力に抗して、閉塞板２０を床面ＦＬに着地させる。
また、図５、図６（ａ）に示すように、落し棒６が上位置にある閉塞板２０の吊上げ状態では中柱３と床面ＦＬとの間には隙間Ｄが生じているが、この状態から図６（ｂ）示すように、落し棒６を押下げると、吊下げ用ばね手段３０の付勢圧に抗して、落し棒６とともに閉塞板２０が床面ＦＬに着地して中柱３の下端面と床面ＦＬ間の隙間Ｄを閉塞する。
【００３７】
第３実施態様では、開閉体カーテン４側縁部による閉塞板２０の押し下げ力と、落し棒６と連繋する閉塞板２０の下降により、閉塞板２０を床面ＦＬに着地させて中柱３の下端面と床面ＦＬ間の隙間Ｄを閉塞している。
【００３８】
尚、第３実施態様において、上記落し棒６と閉塞板２０との連繋構造はなくてもよい。  この場合には、落し棒６の昇降作動とは関係なく、開閉体カーテン４の下降閉鎖により、閉塞板２０による上記閉塞作用を行わせることができる。
【００３９】
なお、本第３実施形態において、付勢手段を複数の吊りばねによる吊下げ用ばね手段３０としたが、これと協同して、あるいは独立して、互いに吸着方向に付勢される磁着手段を適応することも可能である。
【符号の説明】
【００４０】
３  中柱
４  開閉体カーテン
６  落し棒
７  昇降ガイド
１０  蝶番体  
１１  固定片
１２  可動片
１４  付勢手段としての回動付勢用ばね手段
１５  位置決め穴
２０  閉塞板
２２  連結杆
３０  付勢手段としての吊下げ用ばね手段
４０  固定手段
【図１】
0006509582.tif 000002
【図２】
0006509582.tif 000003
【図３】
0006509582.tif 000004
【図４】
0006509582.tif 000005
【図５】
0006509582.tif 000006
【図６】
0006509582.tif 000007
【図７】
0006509582.tif 000008
【図８】
0006509582.tif 000009